(57)【要約】【課題】優先順位リストに載っており且つ所望のサービスを提供する利用可能なシステムと通信を確立することができるターミナル、ネットワークエンティティ、システム、方法およびコンピュータプログラム製品を提供すること。【解決手段】柔軟なシステム選択のためのターミナルであって、少なくとも２つの通信システムから信号を受信し、かつ、少なくとも２つの通信システムの各々からの少なくとも１つの所望のサービスについての各利用可能性情報に基づいて前記少なくとも２つの通信システムのうちの１つと通信を確立することができるプロセッサを含んでなる。【選択図】図３
2008544672.tif 000002
【特許請求の範囲】
【請求項１】
柔軟なシステム選択のためのターミナルであって、
少なくとも２つの通信システムから信号を受信し、かつ、前記少なくとも２つの通信システムの各々からの少なくとも１つの所望のサービスについての各利用可能性情報に基づいて前記少なくとも２つの通信システムのうちの１つと通信を確立することができるプロセッサを含んでなることを特徴とするターミナル。
【請求項２】
前記少なくとも１つの所望のサービスは、インスタント・メッセージ、プッシュ・トゥ・トーク、マルチメディア・メッセージング・サービス、装置管理およびボイス・オーバー・インターネット・プロトコルからなる群から選択される、請求項１に記載のターミナル。
【請求項３】
前記プロセッサは、前記少なくとも２つの通信システムから前記各利用可能性情報を受信する、請求項１に記載のターミナル。
【請求項４】
前記プロセッサは前記少なくとも２つの通信システムから各地理情報を受信し、
さらに前記プロセッサは、前記地理情報に基づいて前記少なくとも１つの所望のサービスについての各利用可能性情報を判断することができる、請求項１に記載のターミナル。
【請求項５】
前記ターミナルは、少なくとも１つのシステム優先順位リストにアクセスすることができる記憶素子をさらに含んでなり、
前記少なくとも１つのシステム優先順位リストは、前記少なくとも２つの通信システムについての各地理情報を規定し、そして
さらに前記プロセッサは、前記少なくとも１つのシステム優先順位リストに規定されている前記地理情報に基づいて前記少なくとも１つの所望のサービスについての各利用可能性情報を判断することができる、請求項１に記載のターミナル。
【請求項６】
前記ターミナルは、前記少なくとも１つの所望のサービスにアクセスすることができ、かつ、少なくとも１つのシステム優先順位リストにアクセスすることができる記憶素子をさらに含んでなり、
前記少なくとも１つのシステム優先順位リストは、前記少なくとも１つの所望のサービスについての各利用可能性情報を規定する、請求項１に記載のターミナル。
【請求項７】
前記ターミナルは、前記少なくとも１つの所望のサービスにアクセスすることができ、かつ、少なくとも１つのシステム優先順位リストにアクセスすることができる記憶素子をさらに含んでなり、
さらに前記プロセッサは、前記システム優先順位リストにおいて最優先される通信システムであって、前記所望のサービスを提供する前記少なくとも１つの通信システムと通信を確立することができる、請求項１に記載のターミナル。
【請求項８】
前記ターミナルは、前記少なくとも１つの所望のサービスにアクセスすることができ、かつ、少なくとも１つのシステム優先順位リストにアクセスすることができる記憶素子をさらに含んでなり、
さらに前記プロセッサは、前記システム優先順位リストに載っている通信システムであって、前記所望のサービスを提供するすべての通信システムの中からユーザー通信システム選択を受信することができ、そして
さらに前記プロセッサは、ユーザーによって選択された通信システムと通信を確立することができる、請求項１に記載のターミナル。
【請求項９】
柔軟なシステム選択のためのネットワークエンティティであって、
前記ネットワークエンティティは、ターミナルからの送信とは無関係の信号の送信を指示することができるプロセッサを含んでなり、
前記信号は、ターミナルが受信することができ、
前記信号は、少なくとも１つの所望のサービスについての利用可能性情報を含んでなり、
前記プロセッサは、前記利用可能性情報に基づいて前記ターミナルから通信要求を受信することができる、
ことを特徴とするネットワークエンティティ。
【請求項１０】
前記少なくとも１つの所望のサービスは、インスタント・メッセージ、プッシュ・トゥ・トーク、マルチメディア・メッセージング・サービス、装置管理およびボイス・オーバー・インターネット・プロトコルからなる群から選択される、請求項９に記載のネットワークエンティティ。
【請求項１１】
さらに前記プロセッサは、前記ターミナルがアクセスすることができるシステム優先順位リストと前記利用可能性情報とに基づいて前記ターミナルから前記通信要求を受信することができる、請求項９に記載のネットワークエンティティ。
【請求項１２】
柔軟なシステム選択のためのシステムであって、
信号を送信することができる少なくとも２つのネットワークエンティティと、
前記少なくとも２つのネットワークエンティティから前記信号を受信することができ、かつ、少なくとも１つの所望のサービスについての各利用可能性情報に基づいて前記少なくとも２つのネットワークエンティティのうちの１つと通信を確立することができるターミナルと、
を含んでなるシステム。
【請求項１３】
前記少なくとも１つの所望のサービスは、インスタント・メッセージ、プッシュ・トゥ・トーク、マルチメディア・メッセージング・サービス、装置管理およびボイス・オーバー・インターネット・プロトコルからなる群から選択される、請求項１２に記載のシステム。
【請求項１４】
前記ターミナルは、前記少なくとも２つのネットワークエンティティから前記各利用可能性情報を受信する、請求項１２に記載のシステム。
【請求項１５】
前記ターミナルは、前記少なくとも２つのネットワークエンティティから各地理情報を受信し、そして
さらに前記ターミナルは、前記地理情報に基づいて前記少なくとも１つの所望のサービスについての各利用可能性情報を判断することができる、請求項１２に記載のシステム。
【請求項１６】
さらに前記ターミナルは、少なくとも１つのシステム優先順位リストにアクセスすることができ、
前記少なくとも１つのシステム優先順位リストは、前記少なくとも２つの通信システムについての各地理情報を規定し、そして
さらに前記ターミナルは、前記少なくとも１つのシステム優先順位リストに規定されている前記地理情報に基づいて前記少なくとも１つの所望のサービスについての各利用可能性情報を判断することができる、請求項１２に記載のシステム。
【請求項１７】
さらに前記ターミナルは、前記少なくとも１つの所望のサービスにアクセスすることができ、かつ、少なくとも１つのシステム優先順位リストにアクセスすることができ、
前記少なくとも１つのシステム優先順位リストは、前記少なくとも１つの所望のサービスについての各利用可能性情報を規定する、請求項１２に記載のシステム。
【請求項１８】
さらに前記ターミナルは、前記少なくとも１つの所望のサービスにアクセスすることができ、かつ、少なくとも１つのシステム優先順位リストにアクセスすることができ、
さらに前記ターミナルは、前記システム優先順位リストにおいて最優先されるネットワークエンティティであって、前記所望のサービスを提供する前記少なくとも１つのネットワークエンティティと通信を確立することができる、請求項１２に記載のシステム。
【請求項１９】
前記ターミナルは、前記少なくとも１つの所望のサービスにアクセスすることができ、かつ、少なくとも１つのシステム優先順位リストにアクセスすることができ、
さらに前記ターミナルは、前記システム優先順位リストに載っているネットワークエンティティであって、前記所望のサービスを提供するすべてのネットワークエンティティの中からユーザーネットワークエンティティ選択を受信することができ、そして
さらに前記ターミナルは、ユーザーによって選択されたネットワークエンティティと通信を確立することができる、請求項１２に記載のシステム。
【請求項２０】
柔軟なシステム選択のための方法であって、
少なくとも２つの通信システムから信号を受信し、そして
前記少なくとも２つの通信システムの各々からの少なくとも１つの所望のサービスについての各利用可能性情報に基づいて前記少なくとも２つの通信システムのうちの１つと通信を確立する、
ことを含んでなる方法。
【請求項２１】
前記少なくとも１つの所望のサービスは、インスタント・メッセージ、プッシュ・トゥ・トーク、マルチメディア・メッセージング・サービス、装置管理およびボイス・オーバー・インターネット・プロトコルからなる群から選択される、請求項２０に記載の方法。
【請求項２２】
前記少なくとも２つの通信システムから前記各利用可能性情報を受信することをさらに含んでなる、請求項２０に記載の方法。
【請求項２３】
前記少なくとも２つの通信システムから各地理情報を受信し、そして
前記地理情報に基づいて前記少なくとも１つの所望のサービスについての各利用可能性情報を判断する、
ことをさらに含んでなる、請求項２０に記載の方法。
【請求項２４】
前記少なくとも２つの通信システムについての各地理情報を規定する少なくとも１つのシステム優先順位リストにアクセスし、そして
前記少なくとも１つのシステム優先順位リストに規定されている前記地理情報に基づいて前記少なくとも１つの所望のサービスについての各利用可能性情報を判断する、
ことをさらに含んでなる、請求項２０に記載の方法。
【請求項２５】
前記少なくとも１つの所望のサービスにアクセスし、そして
前記少なくとも１つの所望のサービスについての各利用可能性情報を規定する少なくとも１つのシステム優先順位リストにアクセスする、
ことをさらに含んでなる、請求項２０に記載の方法。
【請求項２６】
前記少なくとも１つの所望のサービスにアクセスし、
少なくとも１つのシステム優先順位リストにアクセスし、そして
前記システム優先順位リストにおいて最優先される通信システムであって、前記所望のサービスを提供する前記少なくとも１つの通信システムと通信を確立する、
ことをさらに含んでなる、請求項２０に記載の方法。
【請求項２７】
前記少なくとも１つの所望のサービスにアクセスし、
少なくとも１つのシステム優先順位リストにアクセスし、
前記システム優先順位リストに載っている通信システムであって、前記所望のサービスを提供するすべての通信システムの中からユーザー通信システム選択を受信し、そして
ユーザーによって選択された通信システムと通信を確立する、
ことをさらに含んでなる、請求項２０に記載の方法。
【請求項２８】
柔軟なシステム選択のためのコンピュータプログラム製品であって、
前記コンピュータプログラム製品は、コンピュータ可読プログラムコード部分が記録されている少なくとも１つのコンピュータ可読記録媒体を含んでなり、
前記コンピュータ可読プログラムコード部分は、
少なくとも２つの通信システムから信号を受信することができる第１実行可能部分と、
前記少なくとも２つの通信システムの各々からの少なくとも１つの所望のサービスについての各利用可能性情報に基づいて前記少なくとも２つの通信システムのうちの１つと通信を確立することができる第２実行可能部分とを含んでなる、
ことを特徴とするコンピュータプログラム製品。
【請求項２９】
前記少なくとも１つの所望のサービスは、インスタント・メッセージ、プッシュ・トゥ・トーク、マルチメディア・メッセージング・サービス、装置管理およびボイス・オーバー・インターネット・プロトコルからなる群から選択される、請求項２８に記載のコンピュータプログラム製品。
【請求項３０】
前記少なくとも２つの通信システムから前記各利用可能性情報を受信することができる第３実行可能部分をさらに含んでなる、請求項２８に記載のコンピュータプログラム製品。
【請求項３１】
前記少なくとも２つの通信システムから各地理情報を受信することができる第３実行可能部分と、
前記地理情報に基づいて前記少なくとも１つの所望のサービスについての各利用可能性情報を判断することができる第４実行可能部分とをさらに含んでなる、請求項２８に記載のコンピュータプログラム製品。
【請求項３２】
前記少なくとも２つの通信システムについての各地理情報を規定する少なくとも１つのシステム優先順位リストにアクセスすることができる第３実行可能部分と、
前記少なくとも１つのシステム優先順位リストに規定されている前記地理情報に基づいて前記少なくとも１つの所望のサービスについての各利用可能性情報を判断することができる第４実行可能部分とをさらに含んでなる、請求項２８に記載のコンピュータプログラム製品。
【請求項３３】
前記少なくとも１つの所望のサービスにアクセスすることができる第３実行可能部分と、
前記少なくとも１つの所望のサービスについての各利用可能性情報を規定する少なくとも１つのシステム優先順位リストにアクセスすることができる第４実行可能部分とをさらに含んでなる、請求項２８に記載のコンピュータプログラム製品。
【請求項３４】
前記少なくとも１つの所望のサービスにアクセスすることができる第３実行可能部分と、
少なくとも１つのシステム優先順位リストにアクセスすることができる第４実行可能部分と、
前記システム優先順位リストにおいて最優先される通信システムであって、前記所望のサービスを提供する前記少なくとも１つの通信システムと通信を確立することができる第５実行可能部分とをさらに含んでなる、請求項２８に記載のコンピュータプログラム製品。
【請求項３５】
前記少なくとも１つの所望のサービスにアクセスすることができる第３実行可能部分と、
少なくとも１つのシステム優先順位リストにアクセスすることができる第４実行可能部分と、
前記システム優先順位リストに載っている通信システムであって、前記所望のサービスを提供するすべての通信システムの中からユーザー通信システム選択を受信することができる第５実行可能部分と、
ユーザーによって選択された通信システムと通信を確立することができる第６実行可能部分とをさらに含んでなる、請求項２８に記載のコンピュータプログラム製品。
【発明の詳細な説明】
【技術分野】
【０００１】
本発明の実施態様は、一般に、無線ネットワークに関し、さらに詳しくは、マルチモード無線通信システムにおけるシステム選択に関する。
【背景技術】
【０００２】
無線通信システムおよびネットワークは、数多くのアプリケーションおよび装置、例えば、携帯用通信装置（ＰＣＤ）（例えば携帯電話）、携帯用デジタル補助装置（ＰＤＡ）、ノート型パソコン、あるいは無線ネットワークと通信することができる任意の好適な装置と共に利用される。無線通信ネットワークが携帯用通信装置のユーザーに提供する大きな利点の１つは、ユーザーがネットワーク内およびネットワーク間を移動できるということである。
【０００３】
数多くの異なるモードまたは種類の無線通信システムが開発されている。これらのモードとしては、ＧＳＭ（グローバル・システム・フォー・モバイル・コミュニケーション）（ＷＣＤＭＡ（広帯域符号分割多元接続）を含むことがある）、ＣＤＭＡ（符号分割多元接続）、ＷＬＡＮ（無線ＬＡＮ、ＩＥＥＥ８０２．１１規格に準拠）、ＵＭＴＳ（ユニバーサル・モバイル・テレコミュニケーション・システム）、ＷｉＭＡＸ（ＩＥＥＥ８０２．１６規格に準拠）などが挙げられる。異なるモードの通信を、異なる地域において、または、同じ地域内の異なる通信サービスプロバイダーによって提供してもよい。複数の異なるモードのネットワークで通信することができるマルチモードＰＣＤが、さらに普及してきている。そのようなマルチモードＰＣＤは、ユーザーが異なる種類のシステムと通信できるようにするため、ユーザーは、多くの異なる地域において通信することができる。
【０００４】
ユーザーがＰＣＤと共に新しい地域に移動する場合、前記ＰＣＤは、一般に、前記新しい地域内の利用可能なシステムのうちの１つと通信を確立する。前記新しい地域内では、前記ＰＣＤが通信することができる複数の異なる通信システムが利用できる場合がある。そうであるとして、前記ＰＣＤは、前記通信システムのうちの１つを選択し、その選択されたシステムと通信を確立することができる。前記ＰＣＤは、一般に、どの通信システムを選択するか決めるために、所定の方法を使用する。一般に、異なるモードの通信は、各々、どの通信システムを選択するか決めるのに、異なる方法を使用する。そのような方法は、例えばＣＤＭＡシステムで使用される優先ローミングリスト（ＰＲＬ）のような、ＰＣＤに保存されている優先順位リストを使用する。前記優先順位リストは地域によって構成してもよく、一般に、ＰＣＤが各システムの利用可能性に応じて通信を確立することができるシステムのリストからなる。ＰＣＤが新しい地域に入ると、前記ＰＣＤは、一般に、前記優先順位リスト上の最初のシステムと通信を確立しようと試みる。前記優先順位リスト上の最初のシステムが利用できない場合、前記ＰＣＤは、一般に、前記優先順位リスト上の二番目のシステムと通信を確立しようと試みる。前記ＰＣＤは、一般に、前記優先順位リスト上のシステムのうちの１つと通信を確立することができるまで、前記優先順位リスト上の一連のシステムの一つ一つと通信を確立しようと試みる。優先順位リストに含まれるシステムは、特定の地域、特定のＰＣＤについての通信サービスプロバイダー、および前記特定のＰＣＤについての通信プロバイダーと他の通信プロバイダーとの間の互恵待遇協定（例えば、ローミング協定）に異なる。前記優先順位リストは、一般に各ＰＣＤに保存されており、無線サービス供給（ＯＴＡＳＰ）によって更新することができる。どの通信システムを選択するか決める各方法には、一般に、ＰＣＤのために基本音声サービスを確保するという目的がある。
【０００５】
マルチモードＰＣＤのユーザーが新しい地域に移動する場合、前記マルチモードＰＣＤは、各異なるモードに対応する数多くの異なるシステムと通信を確立することができる。例えば、ユーザーは、ＧＳＭ、ＣＤＭＡおよびＵＭＴＳを用いて通信を行うことができるＰＣＤを所持してもよい。地域内には、利用可能なＧＳＭシステム、ＣＤＭＡシステムおよびＵＭＴＳシステムが複数存在することがある。現在、ユーザーは、一般に、通信を確立するのにどのモードを使用したいか選択する必要がある。そして、ＰＣＤは、選択されたモード内で通信を確立するシステムを決める、前記モードに対応する方法を使用する。何をモード優先順位リストと呼ぶかを規定する提案がある。前記モード優先順位リストは、ユーザーに所望のモードを選択させるための別の手段として、ＰＣＤによって利用される。前記モード優先順位リストは、ＰＣＤが通信を行うために使用できるモードの一覧からなる。前記モード優先順位リストは、一般に、通信を確立しようと試みるＰＣＤによって前記モードが使用されるべき順序を示す。ＰＣＤがある特定のモード内で通信を確立しようとすると、前記ＰＣＤは、一般に、どのシステムを選択するか決めるそのモードの方法（例えば、優先順位リスト）を使用する。前記マルチモードＰＣＤの例では、モード優先順位リストは、通信は、まずＣＤＭＡ、次にＧＳＭ、そして最後にＵＭＴＳで試みるべきであると示している。一般に、ＰＣＤは、まず、ＣＤＭＡ優先順位リスト（すなわちＰＲＬ）上のシステムと通信を確立しようと試みる。もし前記ＰＣＤが前記ＣＤＭＡ優先順位リスト上のどのシステムとも通信を確立できない場合、ＧＳＭがモード優先順位リスト上の次のモードであるので、前記ＰＣＤは、一般に、次にＧＳＭ優先順位リスト上のシステムと通信を確立しようと試みる。もし前記ＰＣＤが前記ＧＳＭ優先順位リスト上のどのシステムとも通信を確立できない場合、ＵＭＴＳがモード優先順位リスト上の次のモードであるので、前記ＰＣＤは、一般に、次にＵＭＴＳ優先順位リスト上のシステムと通信を確立しようと試みる。もし前記ＰＣＤが前記ＵＭＴＳ優先順位リスト上のどのシステムとも通信を確立できない場合、前記ＰＣＤは、一般に、次に再度前記ＣＤＭＡ優先順位リストで通信を確立しようと試みる。この新しく提案された、どの通信システムを選択するか決める方法においても、その目的は、一般に、ＰＣＤのために基本音声サービスを確保することである。
【０００６】
基本音声サービスはＰＣＤユーザーにとって重要であるが、数多くの他のサービスがユーザーによって求められており、すべてではないが多くの通信サービスプロバイダーによって提供されている。そのようなサービスの例としては、インスタント・メッセージ（ＩＭ）、プッシュ・トゥ・トーク（ＰＴＴ）、マルチメディア・メッセージング・サービス（ＭＭＳ）、装置管理、ボイス・オーバー・インターネット・プロトコル（ＶｏＩＰ）、および他のボイスサービスおよびデータサービスが挙げられるが、これらに限定されるわけではない。ユーザーが新しい地域に移動する場合、前記ユーザーは、前の地域内で利用していた例えばＭＭＳのようなサービスを利用し続けたいと望む場合がある。そのような場合、前記ユーザーは、ＰＣＤが、所望のサービスを提供することができるシステムと通信を確立することを好む。しかしながら、どの通信システムを選択するか決めるための現在の方法は、所望のサービスの利用可能性を考慮していない。
【発明の開示】
【０００７】
従って、優先順位リストに載っており且つ所望のサービスを提供する利用可能なシステムと通信を確立することができるターミナル、ネットワークエンティティ、システム、方法およびコンピュータプログラム製品が提供される。通信は、前記優先順位リストにおいて最優先されるシステムであって、所望のサービスを提供するシステムと自動的に確立されてもよい。あるいは、前記優先順位リストに載っており且つ所望のサービスを提供するすべてのシステムをユーザーに提示し、ユーザーに提示されたシステムのうちの１つを選択させ、その選択されたシステムと通信を確立してもよい。
【０００８】
これに関連して、マルチモード通信システムにおいて柔軟な（フレキシブルな）システム選択を提供するためのターミナルは、少なくとも２つの通信システムから信号を受信し、かつ、前記通信システムの各々からの少なくとも１つの所望のサービスについての各利用可能性情報に基づいて前記通信システムのうちの１つと通信を確立することができるプロセッサを含んでなる。前記所望のサービスは、インスタント・メッセージ、プッシュ・トゥ・トーク、マルチメディア・メッセージング・サービス、装置管理およびボイス・オーバー・インターネット・プロトコル（ＶｏＩＰ）からなる群から選択することができる。
【０００９】
ある１つの模範的な実施態様において、前記プロセッサは、前記通信システムから前記各利用可能性情報を受信する。他の実施態様において、前記プロセッサは前記通信システムから各地理情報を受信し、さらに前記プロセッサは、前記地理情報に基づいて前記所望のサービスについての各利用可能性情報を判断することができる。
【００１０】
前記ターミナルは、少なくとも１つのシステム優先順位リストにアクセスすることができる記憶素子をさらに含んでいてもよい。前記システム優先順位リストは、前記通信システムについての各地理情報を規定してもよい。さらに前記プロセッサは、前記システム優先順位リストに規定されている前記地理情報に基づいて前記所望のサービスについての各利用可能性情報を判断することができる。
【００１１】
ある実施態様において、前記ターミナルは、前記所望のサービスにアクセスすることができ、かつ、少なくとも１つのシステム優先順位リストにアクセスすることができる記憶素子を含んでいてもよい。前記システム優先順位リストは、前記少なくとも１つの所望のサービスについての各利用可能性情報を規定してもよい。あるいは、さらに前記プロセッサは、前記システム優先順位リストにおいて最優先される通信システムであって、前記所望のサービスを提供する前記通信システムと通信を確立することができる。他の実施態様において、さらに前記プロセッサは、前記システム優先順位リストに載っている通信システムであって、前記所望のサービスを提供するすべての通信システムの中からユーザー通信システム選択を受信することができ、そしてユーザーによって選択された通信システムと通信を確立することができる。
【００１２】
前述のマルチモード通信システムにおいて柔軟なシステム選択を提供するためのターミナルに加えて、本発明の他の態様は、マルチモード通信システムにおいて柔軟なシステム選択を提供するための対応するネットワークエンティティ、システム、方法およびコンピュータプログラム製品を対象とする。
【発明を実施するための最良の形態】
【００１３】
以下、本発明の実施態様を、本発明の好ましい実施態様が図示されている添付図面を参照しながら、さらに詳しく説明する。しかしながら、本発明は、数多くの異なる形態で具現化させることができ、本願明細書に記載される実施態様に限定されると解釈されるべきではない。むしろ、これらの実施態様は、本開示を完全なものとするために提供されるものであり、当業者らに本発明の範囲を十分に伝えるものである。本願明細書を通じて、同じ番号は同じ要素を指す。
【００１４】
図１を参照すると、本発明の実施態様から恩恵を受けるシステムの一種が図示されている。前記システムは、１つ以上のアクセスターミナル（ＡＴ）１０（端末または移動局とも呼ばれる）を備えていてもよい。各アクセスターミナルは、１つ以上の無線基地局（ＢＴＳ）１４（基地局とも呼ばれる）へ信号を送信するため、および、前記基地局から信号する受信するためのアンテナ１１を備える。図１には２つの基地局（ソースＢＴＳ１４ａおよびターゲットＢＴＳ１４ｂ）が示されている。前記ＢＴＳは、１つ以上のセルラーまたはモバイルネットワークの一部であり、各々が、前記ネットワークを操作するのに必要な要素を備えている。ＡＴ１０のユーザーは、前記ＡＴがソースアクセスネットワーク１２ａと通信するように、例えばＩＭ、ＰＴＴまたはＭＭＳのようなサービスを実行してもよい。もし前記ユーザーがソースＡＮから離れて、ターゲットアクセスネットワーク１２ｂに向かっていく場合、ＡＴ１０との通信は、ソースＡＮからターゲットＡＮへ引き渡されなければならない。前記ＡＴによって実行されているサービスは、前記ＡＴが前記サービスを実行し続けるのであれば、一般にターゲットＡＮから入手できなければならない。
【００１５】
ＢＴＳは、デジタルデータを無線信号に変換し、無線信号をデジタルデータに変換するという点で、ネットワークとアクセスターミナルの間のインターフェースとして機能する。各ＢＴＳは、一般に、関連する無線塔または無線アンテナを備え、無線リンクを用いてさまざまなアクセスターミナルと通信を行う。特に、ＢＴＳは、順方向信号の変調および送信によってさまざまなアクセスターミナルと通信する一方で、無線ネットワーク活動（例えば、通話、ウェブ閲覧セッション等）に関与しているさまざまなアクセスターミナルから逆方向信号を受信し、復調する。
【００１６】
ＢＴＳは、（例えば、必須ではないが、非チャネル化Ｔ１設備または直結ケーブルを用いて）１つ以上の基地局コントローラ（ＢＳＣ）１６に接続する。図１には２つの基地局コントローラ（ソースＢＳＣ１６ａおよびターゲットＢＳＣ１６ｂ）が示されている。ＢＴＳとＢＳＣとの接続には、例えば、非チャネル化Ｔ１設備または直結ケーブルを用いてもよい。ＢＳＣは、ＢＴＳのアンテナから届くすべての無線周波数（ＲＦ）トラフィックを結合させる（統合する）ため、および、このトラフィックを移動交換局１８（ＭＳＣ）に与えるために用いられる。図１には２つの移動交換局（ソースＭＳＣ１８ａおよびターゲットＭＳＣ１８ｂ）が示されている。当該技術分野で周知のように、ＢＳＣは、一般に、１つ以上のＢＴＳについて無線リソースを管理する役割を担っている。例えば、ＢＳＣは、無線チャネルの設定、周波数ホッピング、およびハンドオーバを扱うことができる。また、ＭＳＣは、ＢＴＳ１４、ＢＳＣ１６および（ソースＰＣＦ２２ａおよびターゲットＰＣＦ２２ｂを含む）パケット制御機能２２（ＰＣＦ）を含む無線アクセスネットワーク１２（ＲＡＮ）と、（ソースＰＳＴＮ２０ａおよびターゲットＰＳＴＮ２０ｂを含む）公衆交換電話回線網２０（ＰＳＴＮ）との間のインターフェースを提供する役割を担っている。特に、ＭＳＣ１８は、通話を行うために必要な信号伝達を制御し、かつ、ＢＳＣおよびＰＣＦにＲＦリソースを割り当てる。稼動時、ＭＳＣは、例えば移動局が電話をかけたり受けたり、データを送信したり受信したりする場合、移動局へのおよび移動局からの通話、データ等を転送することができる。また、ＭＳＣは、移動局が通話に関与している場合、陸上通信線への接続を提供することができる。
【００１７】
ＰＣＦは、アクセスターミナル（ＢＴＳのうちの１つの範囲内にある場合）と、パケットデータサービスノード２４（ＰＤＳＮ）との間でＩＰパケットデータを転送するために用いられる。一方、ＰＤＳＮは、１つ以上のＩＰネットワーク２８、例えばインターネット、イントラネット、アプリケーションサーバー、あるいは企業の仮想プライベートネットワーク（ＶＰＮ）へのアクセスを提供するのに用いることができる。このように、ＰＤＳＮは、アクセスゲートウェイとして機能する。ＰＤＳＮは、一般に、認証、許可および会計（ＡＡＡ）サーバー２６のクライアントとしても機能する。当該技術分野で周知のように、ＡＡＡサーバーは、ＩＰネットワークへのアクセスを許可する前に、アクセスターミナルを認証および認可するのに用いることができる。一旦アクセスが許可されれば、アクセスターミナルは、前記アクセスターミナルに情報および／またはサービスを提供することができるコンテンツサーバー３０と通信することができる。
【００１８】
本願明細書ではあらゆるネットワークのあらゆる要素を図示および説明しているわけではないが、当然のことながら、アクセスターミナル１０は、多数の異なるモード（本願明細書ではプロトコルとも呼ばれる）のうちの任意の１つ以上を用いて多数の異なるネットワークのうちの任意の１つ以上に接続することができる。これに関して、アクセスターミナルは、第１世代（１Ｇ）、第２世代（２Ｇ）、２．５Ｇおよび／または第３世代（３Ｇ）移動通信プロトコル等のうちの任意の１つ以上に準拠した通信を支援することができる。さらに具体的には、１つ以上の移動局が、２Ｇ無線通信プロトコルＩＳ−１３６（ＴＤＭＡ）、ＧＳＭおよびＩＳ−９５（ＣＤＭＡ）に準拠した通信を支援することができる１つ以上のネットワークに接続してもよい。また、例えば、１つ以上のネットワークが、２．５Ｇ無線通信プロトコルＧＰＲＳ、強化データＧＳＭ環境（ＥＤＧＥ）等に準拠した通信を支援することができてもよい。さらに、例えば、１つ以上のネットワークが、例えば広帯域符号分割多元接続（ＷＣＤＭＡ）無線アクセス技術を利用したユニバーサル移動電話システム（ＵＭＴＳ）ネットワークのような３Ｇ無線通信プロトコルに準拠した通信を支援することができてもよい。さらに、１つ以上のネットワークが、例えばＷＬＡＮ（ＩＥＥＥ８０２．１１）またはＷｉＭＡＸ（８０２．１６）のような広域ネットワーク（ＷＡＮ）通信を支援することができてもよい。一部の狭帯域ＡＭＰＳ（ＮＡＭＰＳ）ネットワークも、ＴＡＣＳネットワークと同様に、本発明の実施態様の恩恵を受けることができる。デュアルモード以上の移動局（例えば、デジタル／アナログすなわちＴＤＭＡ／ＣＤＭＡ／アナログ電話）もそうであるはずである。
【００１９】
ここで図２を参照すると、本発明の１つの実施態様に従って、移動局、ターミナルおよび／またはネットワークエンティティとして機能することができるエンティティのブロック図が示されている。移動局、ターミナルおよび／またはネットワークエンティティとして機能することができる前記エンティティは、本願明細書においてさらに詳しく説明する手段を含む、本発明の模範的な実施態様に従って１つ以上の機能を果たす様々な手段を含んでなる。しかしながら、当然のことながら、１つ以上の前記エンティティが、本発明の精神と範囲から逸脱することなく、１つ以上の同様の機能を果たす別の手段を含んでいてもよい。さらに詳しくは、例えば、図２に示されているように、前記エンティティは、一般に、メモリ４０に接続されているプロセッサ３８を備えていてもよい。前記メモリは、揮発性および／または不揮発性メモリから成っていてもよく、一般に、コンテンツ、データなどを保存する。例えば、前記メモリは、一般に、前記エンティティから送信されたコンテンツおよび／または前記エンティティによって受信されたコンテンツを保存する。さらに、例えば、前記メモリは、一般に、前記プロセッサが本発明の実施態様に従って前記エンティティの動作に関連した工程を実施するためのクライアントアプリケーション、命令なども保存する。以下で説明するように、例えば、前記メモリは、設定ユーティリティ、コンテンツマネージャおよび／またはディスプレイマネージャなどのクライアントアプリケーションを保存することができる。この点について、前記設定ユーティリティは、実行された場合、コンテンツのソースがコンテンツを受信または供給するように設定する働きをすることができる。前記コンテンツマネージャは、実行された場合、前記ソースからのコンテンツの受信および／または前記ソースから受信されたコンテンツの使用を管理する働きをすることができる。そして、前記ディスプレイマネージャは、前記ソースから受信されたコンテンツの表示を管理する働きをすることができる。本願明細書に記載されているように、前記クライアントアプリケーションの各々は、それぞれのエンティティによって操作されているソフトウェアを含んでなる。しかしながら、当然のことながら、本願明細書に記載されるクライアントアプリケーションのうちの任意の１つ以上は、本発明の精神と範囲から逸脱することなく、ソフトウェアの代わりにファームウェアまたはハードウェアから成っていてもよい。
【００２０】
前記メモリ４０に加えて、前記プロセッサ３８は、データ、コンテンツなどを表示、送信および／または受信するための少なくとも１つのインターフェースまたは他の手段に接続されていもよい。この点について、前記インターフェースは、データ、コンテンツなどを送信および／または受信するための少なくとも１つの通信インターフェース４２または他の手段、ならびに、ディスプレイ４４および／またはユーザー入力インターフェース４６を含んでいてもよい少なくとも１つのユーザーインターフェースを含んでいてもよい。そして、前記ユーザー入力インターフェースは、例えばキーパッド、タッチディスプレイ、ジョイスティックまたは他の入力装置のような、前記エンティティがユーザーからデータを受信できるようにする任意の数の装置を含んでいてもよい。
【００２１】
ここで図３を参照すると、本発明の実施態様から恩恵を受けるアクセスターミナルまたは移動局１０、携帯電話の１種が示されている。しかしながら、当然のことながら、以下で説明する前記図示された移動局は、本発明から恩恵を受ける移動局の１種を説明するものに過ぎないので、本発明の範囲を限定するものととらえるべきではない。移動局のいくつかの実施態様が図示され、以下で例として説明されるが、他の種類のアクセスターミナルまたは移動局、例えば携帯用デジタル補助装置（ＰＤＡ）、ポケベル、ノート型パソコン、携帯ゲーム機、および他の種類の電子システムも本発明を容易に利用することができる。
【００２２】
前記ターミナル１０は、本願明細書においてさらに詳しく説明する手段を含む、本発明の模範的な実施態様に従って１つ以上の機能を果たす様々な手段を含んでなる。しかしながら、当然のことながら、前記ターミナルが、本発明の精神と範囲から逸脱することなく、１つ以上の同様の機能を果たす別の手段を含んでいてもよい。さらに詳しくは、例えば、図３に示されているように、アンテナ１４に加えて、前記移動局１０は、送信機４８、受信機５０、および制御装置５２または前記送信機および受信機に信号を供給したり、前記送信機および受信機から信号を受信したりする他のプロセッサを備えていてもよい。これらの信号としては、適用可能なセルラー方式のエアインターフェース規格に準拠した信号情報、およびユーザー音声および／またはユーザー生成データが挙げられる。この点について、前記移動局は、１つ以上のエアインターフェース規格、通信プロトコル、変調形式およびアクセス形式で動作することができる。さらに詳しくは、前記移動局は、第１世代（１Ｇ）、第２世代（２Ｇ）、２．５Ｇおよび／または第３世代（３Ｇ）通信プロトコル等のうちのいずれかに従って動作することができる。例えば、前記移動局は、２Ｇ無線通信プロトコルＩＳ−１３６（ＴＤＭＡ）、ＧＳＭおよびＩＳ−９５（ＣＤＭＡ）に従って動作することができる。さらに、例えば、前記移動局は、２．５Ｇ無線通信プロトコルＧＰＲＳ、ＥＤＧＥ等に従って動作することができる。さらに、例えば、前記移動局は、例えばＷＣＤＭＡ無線アクセス技術を利用したＵＭＴＳネットワークのような３Ｇ無線通信プロトコルに従って動作することができる。さらに、前記移動局は、例えばＷＬＡＮ（ＩＥＥＥ８０２．１１）またはＷｉＭＡＸ（８０２．１６）のような広域ネットワーク（ＷＡＮ）通信プロトコルに従って動作することができる。一部のＮＡＭＰＳ移動局も、ＴＡＣＳ移動局と同様に、本発明の教示の恩恵を受けることができる。デュアルモード以上の電話（例えば、デジタル／アナログすなわちＴＤＭＡ／ＣＤＭＡ／アナログ電話）もそうであるはずである。
【００２３】
前記制御装置５２は、前記移動局１０の音声機能および論理機能を実行するために必要な回路を備える。例えば、前記制御装置は、デジタル・シグナル・プロセッサ・デバイス、マイクロプロセッサ・デバイス、および各種アナログ・デジタル・コンバータ、デジタル・アナログ・コンバータ、および他の支援回路で構成されていてもよい。前記移動局の制御機能および信号処理機能は、これらの装置の能力に応じて、これらの装置の間に配置される。前記制御装置は、内部音声符号器（ＶＣ）５２ａをさらに備えていてもよく、内部データモデム（ＤＭ）５２ｂを備えていてもよい。さらに、前記制御装置は、（以下で説明する）メモリに記憶されていてもよい、前述のもののような１つ以上のクライアントソフトウェアプログラムを動作させる機能を備えていてもよい。
【００２４】
さらに前記移動局１０は、慣用のイヤホンまたはスピーカー５４と、リンガー５６と、マイクロホン５８と、ディスプレイ６０と、ユーザー入力インターフェースとを含んでなるユーザーインターフェースを備えていてもよい。前記装置５４、５６、５８および６０およびユーザー入力インターフェースは、前記制御装置５２に接続されている。図示されてはいないが、前記移動局は、前記移動局を動作させるのに必要な各種回路に電力を供給するため、および、任意に、検知可能な出力としての機械的振動を供給するための電池を備えていてもよい。前記移動局にデータを受信させるユーザー入力インターフェースは、例えばキーパッド５２、タッチディスプレイ（図示されていない）、ジョイスティック（図示されていない）または他の入力装置のような、前記移動局にデータを受信させる任意の数の装置を備えていてもよい。キーパッドを使用する実施態様では、前記キーパッドは、慣用の数字（０〜９）キーおよび関連キー（＃、＊）、および前記移動局を操作するのに使用される他のキーを備える。
【００２５】
移動局１０は、データを共有および／または入手するための１つ以上の手段を備えていてもよい。例えば、前記移動局は、短距離無線周波数（ＲＦ）送受信機または送信機６４を備えていてもよく、これにより、ＲＦ技術に従って電子機器とデータを共有したり、および／または、電子機器からデータを入手することができる。さらに、またはあるいは、前記移動局は、他の短距離送受信機、例えば赤外線（ＩＲ）送受信機６６および／またはブルートゥース特別利益団体によって開発されたブルートゥースブランドの無線技術を用いて動作するブルートゥース（ＢＴ）送受信機６８を備えていてもよい。従って、前記移動局は、さらにまたは代わりに、そのような技術に従って電子機器へデータを送信する、および／または、電子機器からデータを受信することができる。
【００２６】
移動局１０は、一般にモバイル加入者に関する情報要素を保存するメモリ、例えば加入者識別モジュール（ＳＩＭ）７０、取り外し可能な加入者識別モジュール（Ｒ−ＵＩＭ）、スマートカードなどをさらに備えていてもよい。前記ＳＩＭに加えて、前記移動局は、他の取り外し可能なメモリおよび／または備え付けのメモリを備えていてもよい。これに関して、前記移動局は、データを一時的に記憶するためのキャッシュ領域を備えた揮発性ランダムアクセスメモリ（ＲＡＭ）のような、揮発性メモリ７２を備えていてもよい。さらに前記移動局は、埋め込み型および／または取り外し可能な他の不揮発性メモリ７４を備えていてもよい。前記不揮発性メモリは、さらにまたはあるいは、ＥＥＰＲＯＭ、フラッシュメモリなどから成っていてもよい。前記メモリは、前記移動局が自身の機能を実行する上で使用する任意のソフトウェアアプリケーション、命令、情報およびデータを保存することができる。
【００２７】
分かるように、図１のシステムのエンティティは、様々なアーキテクチャで構成することによって、任意の機能を実行することができる。例えば、図１のシステムのエンティティは、集中型クライアント−サーバーアーキテクチャ、分散型アーキテクチャおよび／またはプロキシアーキテクチャで構成することができる。さらにまたはあるいは、例えば、図１のシステムのエンティティは、例えばゲーム関連のアプリケーションのためにノキア社が提供するスケーラブル・ネットワーク・アプリケーション・パッケージ（ＳＮＡＰ）（かつてのセガ・ネットワーク・アプリケーション・パッケージ）に掲載されているアーキテクチャで構成することことができる。
【００２８】
ここで図４を参照すると、本発明の１つの模範的な実施態様による、マルチモード通信システムにおけるシステム選択を示すフローチャートが示されている。図４に示される実施態様において、通信は、優先順位リストに載っており且つ所望のサービスを提供する利用可能なシステムと確立することができる。前記所望のサービスは、一般に、ユーザーが通信サービスプロバイダーと契約した、標準の音声通信以外の通信機能である。そのようなサービスの例としては、インスタント・メッセージ（ＩＭ）、プッシュ・トゥ・トーク（ＰＴＴ）、マルチメディア・メッセージング・サービス（ＭＭＳ）、装置管理、ボイス・オーバー・インターネット・プロトコル（ＶｏＩＰ）、および他のボイスサービスおよびデータサービスが挙げられるが、これらに限定されるわけではない。通信は、前記優先順位リストにおいて最優先されるシステムであって、前記所望のサービスを提供するシステムと自動的に確立されてもよい。この点について、システムは、前記システムが最も高い優先順位を有する、すなわち、前記優先順位リストにおける他のどのシステムよりも高い優先順位を有する場合に、前記優先順位リストにおいて最優先されると考えられる。例えば図１のアクセスターミナル１０のようなターミナルは、少なくとも２つの通信システムから信号を受信することができる。ブロック７０を参照されたい。前記通信システムは、異なる通信プロトコルまたはモードに従って動作していてもよい。例えば、前記ターミナルは、ＧＳＭプロトコル（例えば、１つのモード）に従って動作しているある１つシステムから信号を受信し、ＣＤＭＡプロトコル（例えば、他のモード）に従って動作している他のシステムから信号を受信してもよい。
【００２９】
その後、前記ターミナルは、所望のサービスを読み出すことができる。ブロック７２を参照されたい。前記所望のサービスは、一般に、前記ターミナル内のメモリ、例えば、図３の加入者識別モジュール６０内に保存されている。図４のフローチャートは、Ｘ種類の異なるモードで通信することができ、かつ、前記Ｘ種類のモードの各々についてＹ種類のシステム（Ｙの値は前記Ｘ種類のモードの各々について変化することがある）を含んでなる優先順位リストを有するターミナルによって通信を確立することを示している。ブロック７４に示されているように、Ｘは１に設定され、Ｙも１に設定され、これにより、第１のモードの場合の優先順位リスト上の第１のシステムについて所望のサービスの利用可能性を（以下のように）判断することができる。前記ターミナルは、前記ターミナルが通信を行うために使用することができるモードの各々についてのシステム優先順位リストだけでなく、モード優先順位リストもメモリに記憶しておいてもよい。前述のように、前記モード優先順位リストは、前記ターミナルが使用することができるモードの一覧からなり、前記モードは、通信を確立しようと試みるターミナルによって使用されるべき順序で記載されている。前記モード優先順位リストは、メモリから読み出され（ブロック７６を参照）、そして前記モード優先順位リストにおける第１のモードについてのシステム優先順位リストがメモリから読み出される（ブロック７８を参照）。もし前記ターミナルが第１のモードの第１のシステムから信号を受信して、そのシステムと通信を確立することができる場合、前記ターミナルは、一般に、所望のサービスがそのシステムから入手できるかどうか判断する。ブロック８０を参照されたい。前記ターミナルは、前記所望のサービスの利用可能性についての情報を前記装置から受信してもよい。例えば、前記システムは、例えばブロードキャスト・メッセージにサービス利用可能性情報を埋め込むビットマップ技術を用いることによって、前記システムによって送信されるブロードキャスト・メッセージに前記システムがサポートするサービスに関する情報を含めてもよい。あるいは、前記サービスの利用可能性は、前記ターミナルに無線で供給され、メモリに保存されているシステム優先順位リストによって規定されてもよい。あるいは、前記ターミナルは、前記システムから、一般にブロードキャスト・メッセージに埋め込まれている地理情報を受信し、前記地理情報に基づいて所望のサービスについての利用可能性情報を判断してもよい。前記ターミナルは、一般に、どのサービスがどの地域で利用可能であるかについての情報を掲載している記憶されている参照テーブルを利用する。あるいは、前記ターミナルは、例えばプロキシサーバー等のようなネットワークエンティティに記憶されている参照テーブルにアクセスしてもよい。ある１つの模範的な実施態様において、前記地理情報は、メモリに記憶されているシステム優先順位リストによって規定され、そして前記ターミナルは、前記優先順位リストによって規定される前記地理情報に基づいて所望のサービスについての利用可能性情報を判断してもよい。
【００３０】
もしブロック８２において前記ターミナルが、所望のサービスが第１のモードの優先順位リストにおける第１のシステムから入手可能であると判断した場合、前記ターミナルはそのシステムと通信を確立してもよい。ブロック８４を参照されたい。前記ターミナルは、所望のサービスが入手できると前記ターミナルが判断した前記システム優先順位リスト上の最初のシステムと自動的に通信を確立してもよい。あるいは、前記ターミナルは、通信可能であり且つ所望のサービスを提供するすべてのシステムを求め、すべてのそのようなサービスの一覧をユーザーに示してもよい。そして、ユーザーは、前記一覧からシステムを選択し、前記ターミナルは、その選択されたシステムと通信を確立してもよい。
【００３１】
もしブロック８２において前記ターミナルが、前記第１のモードの優先順位リストにおける第１のシステムからは所望のサービスが入手できないと判断した場合、前記ターミナルは、前記第１のモードの優先順位リストの中に、前記所望のサービスの利用可能性についてチェックされたシステムが他に存在するかどうかを判断する。ブロック８６を参照されたい。もし前記所望のサービスの利用可能性について前記第１のモードの優先順位リスト中のすべてのシステムがチェックされていなかった場合、前記ターミナルは、一般に、ブロック８８においてＹをＹ＋１に増加させ、そしてブロック８０では、前記第１のモードの優先順位リストにおける第２（すなわち、Ｙ＋１）のシステムが所望のサービスの利用可能性についてチェックされる。ブロック８０〜８８は、一般に、所望のサービスを提供できるシステムが見つかるまで、または、前記所望のサービスの利用可能性について前記第１のモードの優先順位リスト中のすべてのシステムがチェックされるまで繰り返し実行される。もし前記所望のサービスの利用可能性について前記第１のモードの優先順位リスト中のすべてのシステムがチェックされた場合、前記ターミナルは、一般に、前記モード優先順位リスト中のすべてのモードがチェックされたかどうか判断する。ブロック９０を参照されたい。ブロック９０において前記モード優先順位リスト中のすべてのモードがチェックされたわけではないと判断された場合、前記ターミナルは、一般に、ブロック９２においてＸをＸ＋１に増加させる。そして、前記ターミナルは、第２（すなわち、Ｘ＋１）のモードのための優先順位リストを読み出す。ブロック７８を参照されたい。そして、前記ターミナルは、一般に、所望のサービスを提供できるシステムが見つかるまで、または、前記所望のサービスの利用可能性について前記第２のモードの優先順位リスト中のすべてのシステムがチェックされるまで、ブロック８０〜８８を繰り返し実行する。ブロック７８〜９２は、一般に、所望のサービスを提供できるシステムが見つかるまで、または、前記所望のサービスの利用可能性についてすべてのモードの優先順位リスト中のすべてのシステムがチェックされるまで、前記ターミナルによって繰り返し実行される。
【００３２】
もし前記所望のサービスの利用可能性についてすべてのモードの優先順位リスト中のすべてのシステムがチェックされ、尚且つ、前記所望のサービスが利用できない場合、前記ターミナルはＸおよびＹを１に戻し、前記所望のサービスを提供できるシステムが見つかってそのシステムと通信を確立するまで、ブロック７４〜９２を繰り返し実行してもよい。あるいは、前記ターミナルは、前記所望のサービスの利用可能性を無視し、モード優先順位リストおよび各モードのシステム優先順位リストを用いて、基本音声サービスを提供できる利用可能なシステムと通信を確立してもよい。所望のサービスを提供できるシステムを探し続けるべきかあるいは代わりに基本音声サービスを提供できる利用可能なシステムと通信を確立するべきかの判断は、あらかじめターミナルに設定しておいてもよく、または、その２つの選択肢をユーザーに選択させてもよい。
【００３３】
図４は、ターミナルが所望のサービスの利用可能性を求め、その利用可能性を利用してどのシステムと通信を確立するべきか判断する本発明の１つの実施態様を示しているが、本発明の他の実施態様は、ターミナルが複数の所望のサービスの利用可能性を求め、その利用可能性情報を利用できるようにすることができる。例えば、ユーザーがＰＴＴサービスおよびＭＭＳサービスに加入し、その両方のサービスを提供するシステムに接続したい場合がある。そのような実施態様は、一般に、図４に示されている実施態様と同じように機能するが、ブロック７２では、ターミナルは、一般に、すべての所望のサービスを読み出し、ブロック８０では、ターミナルは、すべての所望のサービスの利用可能性をチェックする。ターミナルは、すべての所望のサービスを提供することができるシステムと通信を確立することができる。あるいは、もしターミナルがすべての所望のサービスを提供することができるシステムを見つけられない場合、前記ターミナルは、所望のサービスの優先順位リストを利用し、その優先順位リスト上の最優先サービスを提供できるシステムと通信を確立してもよい。あるいは、利用可能なサービスをユーザーに提示し、その中からユーザーが利用したいサービスを選択してもよい。その後、ターミナルは、一般に、ユーザーが選択したサービスを提供できる最優先システムと通信を確立する。
【００３４】
本発明の１つの模範的な態様によれば、例えばターミナル１０のような、前記システムの１つ以上のエンティティによって実行される機能は、例えば前述したもののようなハードウェアおよび／またはファームウェアのようなさまざまな手段によって、コンピュータプログラム製品の制御下または非制御下において、実行することができる。本発明の模範的な実施態様の１つ以上の機能を実行するコンピュータプログラム製品としては、不揮発性記憶媒体のようなコンピュータ可読記憶媒体、および、前記コンピュータ可読記憶媒体に記憶された一連のコンピュータ命令のようなコンピュータ可読プログラムコード部分を含むソフトウェアが挙げられる。
【００３５】
これに関して、図４は、本発明の模範的な実施態様によるシステム、方法およびプログラム製品のフローチャートである。当然のことながら、前記フローチャートの各ブロックすなわちステップおよび前記フローチャートにおけるブロックの組み合わせは、さまざまな手段、例えばハードウェア、ファームウェア、および／または１つ以上のプログラム命令を含んでなるソフトウェアによって実施することができる。分かるように、そのようなコンピュータプログラム命令を、コンピュータまたは他のプログラム可能な装置に（すなわち、ハードウェア）にロードすることによってマシンを作製し、前記コンピュータまたは他のプログラム可能な装置上で実行される命令が、前記フローチャートのブロックすなわちステップで定められた機能を実行する手段を成してもよい。これらのコンピュータプログラム命令は、コンピュータまたは他のプログラム可能な装置を特定の形で機能させることができるコンピュータ可読メモリに保存されていてもよく、前記コンピュータ可読メモリに記憶された命令は、前記フローチャートのブロックすなわちステップで定められた機能を実行する命令手段を含む製品を生み出す。また、前記コンピュータプログラム命令をコンピュータまたは他のプログラム可能な装置にロードし、一連の操作工程を前記コンピュータまたは他のプログラム可能な装置上で実行させてコンピュータ実装プロセスを生成し、前記コンピュータまたは他のプログラム可能な装置上で実行される命令が、前記フローチャートのブロックすなわちステップで定められた機能を実行するための工程を提供してもよい。
【００３６】
従って、前記フローチャートのブロックすなわちステップは、特定の機能を実行するための手段の組み合わせ、特定の機能を実行するための工程および特定の機能を実行するためのプログラム命令手段の組み合わせをサポートする。当然のことながら、前記フローチャートの１つ以上のブロックすなわちステップおよび前記フローチャートにおけるブロックすなわちステップの組み合わせは、特定の機能またはステップを実行する専用ハードウェアをベースとしたコンピュータシステム、あるいは、専用ハードウェアとコンピュータ命令との組み合わせによって実行することができる。
【００３７】
前述の説明および関連する図面に示された教示の利益を得た、本発明が関連する技術分野に精通している者が、本発明の数多くの改良および他の実施態様を思い付くであろう。従って、当然のことながら、本発明は、本願明細書に開示された特定の実施態様に限定されるわけではなく、改良点および他の実施態様も添付の請求の範囲内に含まれることが意図される。例えば、ターミナルは、各種データ、情報などを保存すると記載されているが、前記データ、情報などは、代わりに、前記ターミナルがアクセスできるプロキシサーバーのようなネットワークエンティティに保存されてもよい。本願明細書では特有の用語が用いられているが、それらは、本発明を限定するためではなく、包括的かつ説明的な意味合いで用いられている。
【図面の簡単な説明】
【００３８】
【図１】本発明の実施態様から恩恵を受けるシステムの一種を示す概略ブロック図である。
【図２】本発明の実施態様に従って、移動局、ターミナルおよび／またはネットワークエンティティとして機能することができるエンティティを示す概略ブロック図である。
【図３】本発明の１つの実施態様による移動局またはアクセスターミナルをさらに詳しく示す概略ブロック図である。
【図４】本発明の１つの実施態様による、マルチモード通信システムにおけるシステム選択を示すフローチャートである。
【図１】
2008544672.tif 000003
【図２】
2008544672.tif 000004
【図３】
2008544672.tif 000005
【図４】
2008544672.tif 000006
【国際調査報告】
2008544672.tif 000007
2008544672.tif 000008
2008544672.tif 000009
2008544672.tif 000010